(57)【要約】【課題】床材の収縮等によって生じる床材の端部と幅木との間の隙間を覆って見えなくし、意匠性よく住宅の内壁面の下部と床材との突き合わせ部を納めることのできる幅木用見切り材を提供する。【解決手段】背板部１１と底板部１２とからなる横断面が略Ｌ字型の幅木用見切り材１であって、背板部１１は幅木２と住宅の内壁面４の下部との間に設置され、底板部１２は幅木２と床面３１との間に設置され、底板部１２の先端部１２１の上面に下り勾配の傾斜面１２２を形成するとともに、底板部１２の先端部１２１をやや下方に変曲せしめ、さらに幅木用見切り材１が所定位置に設置された状態でその底板部１２の先端部１２１が幅木２の前面よりも前方に配設されることを特徴とする幅木用見切り材。【選択図】図３
2012041746.tif 000002
【特許請求の範囲】
【請求項１】
背板部と底板部とからなる横断面が略Ｌ字型の幅木用見切り材であって、該背板部は幅木と住宅の内壁面の下部との間に設置され、該底板部は幅木と床面との間に設置され、上記底板部の先端部の上面に下り勾配の傾斜面を形成するとともに、上記底板部の先端部をやや下方に変曲せしめ、さらに上記幅木用見切り材が所定位置に設置された状態で上記幅木用見切り材の底板部の先端部が上記幅木の前面よりも前方に配設されることを特徴とする幅木用見切り材。
【請求項２】
上記幅木用見切り材の底板部にその長手方向に複数個の孔部を設けてなることを特徴とする請求項１記載の幅木用見切り材。
【発明の詳細な説明】
【技術分野】
【０００１】
本願発明は、住宅の内壁面の下部と床面との突き合わせ部を納めるように設置される幅木と共に用いられる幅木用見切り材に関するものである。
【背景技術】
【０００２】
一般に、住宅の内装においては、例えば壁の内壁面の上側の縁部と天井との境界部分に設けられる廻り縁や、内壁面の下部と床面との突き合わせ部に設けられる幅木や内壁面の開口部等に設けられる化粧枠等の各種の化粧材が用いられている。
【０００３】
上記化粧材、例えば幅木としては一般的に木材が用いられるが、木材に代えてＭＤＦ（中密度繊維板）を用いることも行なわれている。また、押出し樹脂成形品を表面化粧したものが用いられる場合もある。
【０００４】
図４（ａ）は、住宅の内壁面４の下部と床材３との突き合わせ部に公知の幅木２を取り付けた状態を示す部分断面説明図である。図４（ａ）に示すように、床下地材Ｇの上面に床材３を敷設し内壁面４に突き合わせて納める場合、上記突き合わせ部を覆うように幅木２が取り付けられる。上記幅木２には、意匠性向上のために幅木２の長手方向に凹溝２１が設けられている。
【０００５】
例えば、幅木２として床材３と同様の天然木調の木目や色調を有するＭＤＦ（中密度繊維板）を用いることにより、上記突き合わせ部が幅木２で目隠しされることにより、内壁面４の下部と床材３と調和し、意匠性よく住宅の内装を仕上げることができる。
【０００６】
しかし、内装の施工後、時間の経過とともに床材３が乾燥等により収縮すると図４（ｂ）に示すように、幅木２の下端と床材３の端部との間に隙間Ｓが生じる場合がある。例えば、隙間Ｓの幅が同一ではなく蛇行している場合は特に隙間Ｓが目立って幅木２が内装材として機能せず、床面の納まりが悪くなって意匠性が劣ったものとなる。
【０００７】
一方、特許文献１（特開２００６−１５２５４６号公報）には、既存の床に新たな床材を貼り付ける床のリフォームにおいて、壁際においてぴったりと隙間なく配設することのできる新たな見切り材が開示されている。
【０００８】
すなわち、上記見切り材は、 前側において前方に向けて開放され、長さ方向に沿って形成された、床材の木口部が嵌入する嵌合溝を備え、内壁または既存の幅木に接触する背面が、下端から上端に向かって斜め後方に傾斜するとともに、弾性材から形成され、床材を内壁または既存の幅木に押し当てて施工することができると述べられている。そして、弾性材が弾接するため、壁際に隙間が生じることなく、内壁または既存の幅木にぴったりと接触し、美麗に仕上がるとの効果も示されている。しかしながら、この場合、弾性材の弾性変形量よりも幅の大きな隙間を塞ぐことができず、また、新たな床材を貼り付けた後に幅木を施工することもできないものであった。
【先行技術文献】
【特許文献】
【０００９】
【特許文献１】特開２００６−１５２５４６号公報
【発明の概要】
【発明が解決しようとする課題】
【００１０】
本願発明は、上記背景技術に鑑みてなしたものであり、その目的は、住宅の内壁面の下部と床材との突き合わせ部に取り付けられる幅木において、床材の収縮等によって床材の端部と幅木との間に隙間が生じても上記隙間を覆って見えなくするとともに、意匠性よく上記内壁面の下部と床材との突き合わせ部を納めることのできる幅木用見切り材を提供することである。
【課題を解決するための手段】
【００１１】
上記課題を解決するために、本願請求項１に記載の発明に係る幅木用見切り材では、背板部と底板部とからなる横断面が略Ｌ字型の幅木用見切り材であって、該背板部は幅木と住宅の内壁面の下部との間に設置され、該底板部は幅木と床面との間に設置され、上記底板部の先端部の上面に下り勾配の傾斜面を形成するとともに、上記底板部の先端部をやや下方に変曲せしめ、さらに上記幅木用見切り材が所定位置に設置された状態で上記幅木用見切り材の底板部の先端部が上記幅木の前面よりも前方に配設されることを特徴としている。
【００１２】
本願請求項２に記載の発明では、上記請求項１記載の幅木用見切り材において、上記幅木用見切り材の底板部にその長手方向に複数個の孔部を設けてなることを特徴としている。
【００１３】
上記幅木用見切り材としては、例えば、ポリ塩化ビニル樹脂、ポリエチレン樹脂、ポリプロピレン樹脂、ポリスチレン樹脂、ポリエステル樹脂等公知の熱可塑性樹脂を横断面略Ｌ字型に成形したものが用いられる。あるいは、熱可塑性エラストマー等の合成ゴム、天然ゴム等の成形品を用いてもよい。そして、上記幅木用見切り材は異形押出し成形、例えばパラレル２軸押出し成形機により製造され、施工現場で適宜の長さにカットして使用される。
【発明の効果】
【００１４】
本願請求項１記載の発明に係る幅木用見切り材においては、背板部と底板部とが薄肉片からなるとともに、略９０度の角度で結合され横断面が略Ｌ字型であるため、住宅の内壁面の下部と床材の突き合わせ部に空間や不連続な部分が生じてもそれらを覆って略直角でコーナー部を確保することができる。そして、幅木の下隅部を上記幅木用見切り材のコーナー部に押し付けながら接着剤等によりしっかりと接着させることができる。
【００１５】
また、上記底板部の先端部の上面に下り勾配の傾斜面を形成するとともに、上記底板部の先端部をやや下方に変曲せしめ、上記幅木用見切り材の底板部の先端部が上記幅木の前面よりも前方に配設されることにより、床面に不陸部分があっても、弾性を有する底板部が不陸を吸収し、かつ、底板部の先端部が弾接することによって床面と平行に生じる隙間を隠すことができる。
【００１６】
さらに、先端部の上面に設けられた下り勾配の傾斜面が先端部と床面とをなだらかに結びつけるため、幅木用見切り材と床面とが視覚的に一体的に見え、外観的にも優れたものとなる。また、段差がないため、つまずくことなく転倒等の事故を防止することができる。
【００１７】
本願請求項２記載の発明に係る幅木用見切り材においては、上記幅木用見切り材の底板部にその長手方向に複数個の孔部を設けてなるため、上記底板部が波打って変形することを防止するとともに、柔軟性が増して床面との馴染みをよくするという効果を得ることができる。
【図面の簡単な説明】
【００１８】
【図１】本願発明に係る幅木用見切り材の構成を示す斜視図。
【図２】底板部にその長手方向に適宜間隔で孔部が設けられた他の構成の幅木用見切り材を示す斜視図。
【図３】背板部を幅木と住宅の内壁面の下部との間に設置し、底板部を幅木と床面との間に設置した所定位置における上記幅木用見切り材を示す横断面説明図。
【図４】（ａ）住宅の内壁面の下部と床材との突き合わせ部に公知の幅木を取り付けた状態を示す部分断面説明図。（ｂ）床材の収縮等によって生じた床材の端部と幅木との間の隙間を示す部分断面説明図。
【発明を実施するための形態】
【００１９】
以下、本願発明に係る幅木用見切り材の実施形態について図面を参照して詳細に説明する。本実施形態において上記幅木用見切り材としては、ポリ塩化ビニル樹脂を横断面略Ｌ字型に押出し成形し、施工現場で適宜の長さにカットしたものが用いられる。
【００２０】
図１は、本願発明に係る幅木用見切り材１の構成を示す斜視図である。図１に示すように、上記幅木用見切り材１は背板部１１と底板部１２とからなり、上記底板部１２の先端部１２１の上面には下り勾配の傾斜面１２２が設けられている。また、図示するように上記先端部１２１はやや下方に変曲されている。
【００２１】
図２は、上記底板部１２にその長手方向に適宜間隔で孔部１２３が設けられた他の構成の幅木用見切り材１を示す斜視図である。孔部１２３を設けることにより、上記底板部１２が波打って変形することを防止するとともに、柔軟性が増して床面との馴染みをよくすることができる。なお、幅木用見切り材１の背板部１１にも同様に孔部１２３を設けることができる。
【００２２】
図３は、背板部１１を幅木２と住宅の内壁面４の下部との間に設置し、底板部１２を幅木２と床面３１との間に設置した所定位置における上記幅木用見切り材１を示す横断面説明図である。
【００２３】
施工の際、まず、上記幅木用見切り材１の背板部１１の裏面と底板部１２の裏面とに公知の接着剤、例えば、ＳＢＲ系接着剤、酢酸ビニル系接着剤、エチレン−酢酸ビニル系接着剤、メラミン系接着剤、ユリア樹脂系接着剤等を塗布して住宅の内壁面４と床面３１とにしっかりと接着させる。
【００２４】
このように、住宅の内壁面４の下部と床材３との突き合わせ部を覆うように上記幅木用見切り材１を設置することによって、たとえ、現場施工の誤差によって上記突き合わせ部に空間Ｋや不連続な部分が生じてもそれらを目隠しするとともに、コーナー部の直角性を保つことができる。また、前記した図４（ｂ）に示すように、従来、床材３の収縮等により、幅木２の下端と床材３の端部との間に隙間Ｓが生じた場合、該隙間Ｓを幅木２の下端部で覆い隠すことができないこともあったが、本願発明においては、床材３の収縮により上記空間Ｋが幅木２の下端部よりも更に前方に拡大しても幅木用見切り材１の底板部１２で該空間Ｋを十分に覆って目隠しすることができる。
【００２５】
上記のようにして幅木用見切り材１を設置した後、ついで、幅木２の下隅部を上記幅木用見切り材１のコーナー部に押し付けながら接着剤を介して接着させる。このようにすることによって幅木２を所定位置にぴったりと取り付けることができる。
【００２６】
ここで、図３に示されているように、上記底板部１２の先端部１２１が幅木２の前面よりも前方に配設され、かつ先端部１２１がやや下方に変曲されているため、床面３１に不陸部分があった場合でも、幅木用見切り材１の有する弾性によって底板部１２が不陸を吸収するとともに、先端部１２１が弾接し、不陸によって床面３１と平行に生じる隙間を隠すことができる。
【００２７】
さらに先端部１２１の上面に設けられた下り勾配の傾斜面１２２が先端部１２１と床面３１とをなだらかに連続させ、幅木用見切り材１と床面３１とを自然に一体的に見せ外観性よく内装を仕上げることができる。また、段差をなくすことによって、つまずくことなく、転倒等の事故を防止することができる
このようして、本願発明の幅木用見切り材１を幅木２と共に用いることにより、幅木２が住宅の内壁面４にぴったりと接触して配設され、高度の熟練を要することなく床材３のフローリングを効率よく行うことができる。
【００２８】
なお、上記幅木用見切り材１は住宅を新設する場合のみならず、床のリフォームにおいても使用することができる。すなわち、既存の床を床下地Ｇとして利用し、上記した方法によって新しい床材３を施工すれば、簡単にかつ効率よく、見映えよく床のリフォームを行うことができる。
【００２９】
また、上記実施形態においては、幅木用見切り材１の背板部１１の裏面と内壁面４下部との接着および底板部１２の裏面と床面３１との接着には公知の接着剤が用いられたが、接着剤に代えて両面粘着テープを用いてもよい。このように本願発明に係る幅木用見切り材は設計変更自在であり、特許請求の範囲を逸脱しない限り、いずれの場合も本願発明の技術的範囲に属する。
【符号の説明】
【００３０】
１      本願発明に係る幅木用見切り材
１１    背板部
１２    底板部
１２１  先端部
１２２  下り勾配の傾斜面
１２３  孔部
２      幅木
２１    凹溝
３      床材
３１    床面
４      内壁面
Ｇ      床下地
Ｋ      住宅の内壁面の下部と床材の突き合わせ部に生じた空間
Ｓ      幅木の下端と床材の端部との間に生じた隙間
【図１】
2012041746.tif 000003
【図２】
2012041746.tif 000004
【図３】
2012041746.tif 000005
【図４】
2012041746.tif 000006